(57)【要約】  本発明は、ウォーターマーク、デジタル署名、及び／又は暗号化を含むオーディオファイルが配信されるシステムを提供する。ファイルは、消費者に付加価値コンテンツ及びサービスを提供し、かつＭＰ３プレーヤのような既存のデジタルファイルプレーヤに対する下位互換性を維持しながら、ある程度の再生制御をコンテンツ所有者に提供することができる。購入した曲と共に付加価値コンテンツ及びサービスで消費者を誘うことにより、消費者は、参加小売業者からこれらのファイルを取得し、準拠プレーヤを使用してファイルを再生するように促される。【選択図】図１Ｂ
2011504617.tif 000002
【特許請求の範囲】
【請求項１】
分散ネットワークを使用してサーバからユーザにコンテンツを配信する方法であって、
デジタルコンテンツと、２つの部分、すなわち、クリアテキスト部分及び暗号化部分に区分され、かつデジタルファイルを一意的に識別する情報を含むヘッダとを含むデジタルファイルを準備する段階と、
前記デジタルファイルを分散ネットワーク上でユーザの１人に送信し、該ユーザの１人に該デジタルファイルを受信させて該デジタルコンテンツを該１人のユーザに呈示する段階と、
を含むことを特徴とする方法。
【請求項２】
前記デジタルファイルは、前記１人のユーザとの取引に応答して準備され、前記ヘッダは、該取引に関連する取引データを含むことを特徴とする請求項１に記載の方法。
【請求項３】
前記ヘッダは、ユーザＩＤ、ユーザ電子メールアドレス、及び取引データのうちの１つであるユーザ情報を含むことを特徴とする請求項２に記載の方法。
【請求項４】
前記ヘッダが存在していることを示すウォーターマークを前記デジタルファイルに挿入する段階を更に含むことを特徴とする請求項１に記載の方法。
【請求項５】
共有制御パラメータに従って前記１人のユーザが前記デジタルコンテンツに関連するデータを他のユーザと共有できるように、前記ヘッダ内に組み込まれる前記共有制御パラメータを前記デジタルファイルに設ける段階を更に含むことを特徴とする請求項１に記載の方法。
【請求項６】
共有サーバを使用してユーザ間のファイルの共有をモニタする段階を更に含むことを特徴とする請求項５に記載の方法。
【請求項７】
各ユーザが所定数の他のユーザからコンテンツを受信できるようにすることを特徴とする請求項５に記載の方法。
【請求項８】
前記ユーザの１人に利用可能な追加コンテンツ及び追加サービスのうちの少なくとも一方を示すトークンを前記見出しに設ける段階を更に含むことを特徴とする請求項１に記載の方法。
【請求項９】
追加のコンテンツ及びサービスのうちの一方を前記ユーザに供給することができるコンテンツサーバのアドレスを提供するリンクを前記ヘッダに設ける段階を更に含むことを特徴とする請求項１に記載の方法。
【請求項１０】
デジタルファイルを一意的に識別する情報を含み、かつ暗号化部分を有するヘッダと、デジタルコンテンツとを有するデジタルファイルをユーザによって処理する方法であって、
デジタルコンテンツを記憶又は呈示する段階と、
ヘッダを検出する段階と、
ヘッダの存在下で、追加のコンテンツ、製品、及びサービスの少うちのなくとも１つを含む追加のマテリアルをユーザに提供する段階と、
を含むことを特徴とする方法。
【請求項１１】
前記暗号化部分を解読する段階を更に含むことを特徴とする請求項１０に記載の方法。
【請求項１２】
ウォーターマークが、前記デジタルファイルに設けられ、
前記ヘッダが検出されなかった場合に前記ウォーターマークを検査する段階と、
前記デジタルコンテンツの呈示を禁止する段階と、
を更に含むことを特徴とする請求項１１に記載の方法。
【請求項１３】
前記デジタルコンテンツは、オーディオクリップであり、前記ウォーターマークは、オーディオウォーターマークであることを特徴とする請求項１２に記載の方法。
【請求項１４】
第２のユーザを識別する修正されたヘッダを生成する段階と、
前記修正されたヘッダを送信する段階と、
を更に含むことを特徴とする請求項１０に記載の方法。
【請求項１５】
別のユーザから前記デジタルファイルを受信する段階を更に含むことを特徴とする請求項１０に記載の方法。
【請求項１６】
前記ユーザは、所定数の他のユーザだけからデジタルファイルを受信するように制限されることを特徴とする請求項１５に記載の方法。
【請求項１７】
前記ユーザは、ユーザの前記所定数に到達した場合に異なるコンテンツを受信するように制限されることを特徴とする請求項１６に記載の方法。
【請求項１８】
異なるコンテンツが、前記デジタルコンテンツの短縮された形式、商業広告を含む変更されたデジタルコンテンツ、及び該デジタルコンテンツのストリームバージョンのうちの１つを含むことを特徴とする請求項１７に記載の方法。
【請求項１９】
前記ヘッダは、動的リンク及び静的リンクの一方であるリンクを含むことを特徴とする請求項１０に記載の方法。
【請求項２０】
分散ネットワークを使用してサーバからユーザにデジタルコンテンツファイルを配信する方法であって、
デジタルコンテンツと、２つの部分、すなわち、クリアテキスト部分及び暗号化部分に区分され、かつデジタルファイルを一意的に識別する情報を含むヘッダとを含むデジタルファイルを準備する段階と、
前記デジタルファイルを分散ネットワーク上でユーザの１人に関連付けられたデバイスに送信して、該デバイスが該デジタルコンテンツを該１人のユーザに呈示できるようにし、かつ該ユーザが、リンクを通じて該コンテンツを受信することができる別のユーザと該リンクを共有できるようにする段階と、
を含むことを特徴とする方法。
【請求項２１】
前記デジタルファイルは、要求に応答して準備され、該要求は、前記１人のユーザのＩＤを含むことを特徴とする請求項２０に記載の方法。
【請求項２２】
前記要求は、前記１人のユーザの好みを示す情報を含むことを特徴とする請求項２１に記載の方法。
【請求項２３】
分散ネットワークを使用してサーバからユーザにデジタルコンテンツファイルを配信する方法であって、
デジタルコンテンツと、該デジタルコンテンツに関連付けられた追加のマテリアルに関連する情報を受信者に提供するトークンを含むヘッダとを含むデジタルファイルを準備する段階と、
前記デジタルファイルを分散ネットワーク上でユーザの１人に送信して、該１人のユーザが前記デジタルコンテンツを再生し、かつ追加のマテリアルを得るために前記トークンを引き換えることができるようにする段階と、
を含むことを特徴とする方法。
【請求項２４】
前記トークンは、追加のマテリアルに対して引き換えられることを特徴とする請求項２３に記載の方法。
【請求項２５】
前記トークンは、追加のコンテンツ、いくつかの物品及びサービスに対応し、
各ユーザが前記トークンを通じて前記物品及びサービスのうちの少なくとも一方と引き換えることを許された幾人かのユーザ間で前記デジタルファイルを共有する段階、
を更に含むことを特徴とする請求項２４に記載の方法。
【請求項２６】
デジタルコンテンツをユーザに対して再生するための装置であって、
追加のマテリアルと受信したデジタルコンテンツとを識別する情報を含み、かつ暗号化部分を含むヘッダを含むデジタルファイルを受信する受信機と、
前記ヘッダを検出するようなったマイクロプロセッサと、
前記受信したコンテンツをユーザに呈示することを可能にされ、更に、前記ヘッダが検出された場合に追加のマテリアルが利用可能であるという指示を該ユーザに呈示することを可能にされたコンテンツ表示器と、
を含むことを特徴とする装置。
【請求項２７】
前記デジタルファイルのウォーターマークを検出するウォーターマーク検出器を更に含み、前記コンテンツ表示器は、前記ウォーターマークが存在し、かつヘッダが検出されなかった場合に前記指示を呈示できないようにされることを特徴とする請求項２６に記載の装置。
【請求項２８】
前記コンテンツ表示器は、前記ヘッダに前記暗号化部分が欠如している場合に前記コンテンツを呈示することを特徴とする請求項２６に記載の装置。
【請求項２９】
コンテンツを別の装置と共有するためにユーザによって作動される共有セレクタを更に含むことを特徴とする請求項２６に記載の装置。
【請求項３０】
前記受信機は、中央サーバ及び他のユーザのうちの１つからコンテンツを受信するようなっていることを特徴とする請求項２６に記載の装置。
【請求項３１】
前記受信機は、制限された数の他のユーザだけからコンテンツを受信することを許可されることを特徴とする請求項３０に記載の装置。
【請求項３２】
暗号化部分とクリアテキスト部分とを有するヘッダと、デジタルコンテンツとを含むデジタルファイルを受信する段階、
前記デジタルファイルが前記ヘッダを有するかを検出する段階、
ヘッダが検出されなかった場合に前記デジタルファイルを従来のファイルとして処理する段階、及び
ヘッダが検出された場合、追加のマテリアルが前記デジタルファイルから利用可能であるという指示をユーザに呈示する段階、
を実施するためにマイクロプロセッサによって順次的に実行することができる、媒体に埋め込まれたコンピュータ可読ソフトウエア。
【発明の詳細な説明】
【技術分野】
【０００１】
本発明は、デジタルコンテンツを備えたファイルを交換又は配信するための装置及び方法に関する。ファイルは、部分的に暗号化されて一意的にファイルを識別する様々な情報を含む見出し(heading)を含む。また、デジタルコンテンツを強化又は増強し、又はユーザに追加のコンテンツ、商品、又はサービスを取得させる任意的なデータを含めることもできる。
【背景技術】
【０００２】
音楽のようなデジタルコンテンツは、現在、多くの異なるフォーマットで多くの異なるソースから利用可能である。この目的のための１つの一般的なフォーマットは、ＭＰ３フォーマットである。このフォーマットは、ＭＰＥＧ１（「モーション・ピクチャーズ・エキスパーツ・グループ」によって普及されている共通ビデオ圧縮規格）の「オーディオレイヤ」を指し、再生された時に音声品質のオリジナルレベルを維持しながら音声シーケンスを非常に小さなファイル（オリジナルファイルの約１／１２のサイズ）に圧縮するための公知のアルゴリズムを使用する。ＭＰ３フォーマットで音楽を配信することは、多くの音楽デバイス及びオンライン小売業者間の相互運用性のようないくつかの利点を提供する。従って、この処理は、ユーザのためのより良い体験を供給し、潜在的にデジタルコンテンツを販売するための市場サイズを増大する。
【発明の概要】
【発明が解決しようとする課題】
【０００３】
しかし、標準的ＭＰ３フォーマットで音楽を販売することは、以下のようないくつかの欠点も有する。
【０００４】
１．コンテンツプロバイダのためのコピー保護機能又はいずれか他の再生制御機構の欠如。
【０００５】
２．どの消費者がＭＰ３ファイルを購入したかを識別する堅牢な方法の欠如。購入者の電子メールアドレスのような購入者のＩＤが、ファイル（例えば、ＭＰ３ヘッダ）に含まれている場合でも、ファイルは、この情報が保護されていないので依然として容易に変更される可能性がある。
【０００６】
３．購入者又は消費者は、違法なソースから劣悪にリッピングされるのとは逆に、ＭＰ３ファイルが本物であり高品質であることを知るすべがない。
【０００７】
４．コンテンツの著作権を主張し、かつコンテンツフィルタリングを有効にする堅牢な方法がない。
【課題を解決するための手段】
【０００８】
本発明は、オーディオファイルを配信するためのシステムを提供する。このシステムの一部として、全ての現在のＭＰ３プレーヤと下位互換性（backward compatibility）があり、標準的ＭＰ３ファイルと同じデータ圧縮及びヘッダフォーマットを使用する以下ＳＢ３ファイルと呼ぶ新しいタイプのデジタルファイルを呈示する。代替的に、ＳＢ３ファイルは、ＭＰＥＧ−ＡＡＣフォーマットのような他の公知のデジタルオーディオフォーマットにコンテンツを組み込むことができる。このフォーマットでのＳＢ３ファイルは、付加価値コンテンツ及びサービス（ＶＡＣＳ）を消費者に提供することができる。更に、これらのファイルは、任意的に、ウォーターマーク、デジタル署名、及び暗号化の組合せを通じて再生制御をコンテンツ所有者に提供することができる。消費者が新しいＳＢ３オーディオファイルを購入すると、消費者は、１組の再生制御規則に従うそれぞれの準拠メディアプレーヤ上で再生することができるＶＡＣＳを受け取ることができる。この目的は、消費者が準拠していないＭＰ３プレーヤからの切り換えを選択することになるほど抑えきれないＶＡＣＳを提供する（それを作成し、提携し、又は取得することにより）ことである。
【０００９】
より具体的に、本出願は、分散ネットワークを使用してサーバからユーザにデジタルファイルを配信する方法及び装置に関する。装置及び方法は、デジタルコンテンツとヘッダとを含むデジタルファイルを提供する。ヘッダは、２つの部分、すなわち、クリアテキスト部分と暗号化部分に区分されている。ヘッダは、デジタルファイルを一意的に識別する情報を含む。例えば、一実施形態では、ヘッダは、デジタルファイルのそれぞれのユーザに関する情報を含む。ヘッダはまた、コンテンツ、コンテンツプロバイダ、再販業者、デジタルファイルが取得された取引の詳細などに関する情報を含むことができる。このデジタルファイルは、分散ネットワーク上でユーザに送信される。
【００１０】
ユーザは、受信したデジタルファイルをヘッダに関して検査する準拠プレーヤを有することが好ましい。ヘッダが見つかった場合、更に別の処理が行われる。ヘッダが見つからなかった場合、一実施形態では、プレーヤは、レガシーファイル（すなわち、非準拠ファイル）を受信したと仮定し、ファイルは、記憶されるか又は必要に応じてユーザに呈示される。別の実施形態では、ウォーターマークが、ファイルに、例えば、デジタルコンテンツに埋め込まれる。ウォーターマークは、ファイルのヘッダ（あるとすれば）が本物であることを確認するのに使用される。
【００１１】
トークン、リンク、又は他の手段によって識別される追加のマテリアル（コンテンツ、商品、及びサービスを含む）を提供することができる。追加のマテリアルは、コンテンツを増強することができ、又は販売促進のための商品又はサービスを含むことができる。ユーザは、コンテンツ及び追加の情報を維持することができ、及び／又は追加のマテリアルのプロバイダによって設定された規則に応じて他者とこれらを共有する場合がある。
【００１２】
商品及びサービスは、メッセージで提供することができ、又は追加のコンテンツを供給する１つ又はそれよりも多くのウェブサイトに対して特別なリンクを設けることができる。代替的に、リンク又はトークンは、追加のマテリアルに対する要求を含む準拠プレーヤからのメッセージをトリガすることができ、サーバは、この要求をコンテンツプロバイダ又は他のソースに向けることができる。追加のコンテンツは、要求側準拠プレーヤに送信される。
【００１３】
本発明の１つの態様では、ユーザは、ファイルを購入し、ファイルプロバイダ（例えば、小売業者又はコンテンツプロバイダ）は、次に、取引データ及び／又はユーザＩＤ又はユーザの電子メールのようなユーザに関連付けられた他の情報のような１つ又はそれよりも多くのデータフィールドを組み込むヘッダを含むファイルを生成する。少なくともヘッダの一部は、暗号化される。データフィールドの一部は、ヘッダの暗号化部分とプレーンテキスト部分の両方に組み込むことができる。
【００１４】
ユーザがデジタルファイルを受信すると、ユーザの準拠プレーヤは、ヘッダ及びウォーターマークを検査し、認証に対しても同じものを使用する。ヘッダ又はウォーターマークが検出されない場合、ファイルは、標準的又は従来のコンテンツファイルとして呈示される。
【００１５】
本発明の別の態様では、本出願は、デジタルコンテンツとヘッダとを含むデジタルファイルが提供されたデジタルコンテンツファイルを配信する方法及び装置を提供する。ヘッダは、２つの部分、すなわち、クリアテキスト部分と暗号化部分に区分されており、かつデジタルファイルのそれぞれのユーザを識別する情報及びコンテンツソースを識別するリンクを含む。デジタルファイルは、分散ネットワーク上でユーザの1人に送信される。デジタルファイルを受信した状態で、それは、随意に記憶されるか又は再生することができる。更に、デジタルファイルは、他の類似のユーザによって共有される。ヘッダは、追加のコンテンツ及び推薦などを受け取るためにユーザのいずれによっても使用することができるリンクを含む。リンクは、動的及び静的リンクとすることができ、かつ新しいファイルを生成するか又はコンテンツをストリームするコンテンツソースに誘導することができる。
【００１６】
本発明の別の態様では、リンクは、新しいコンテンツに対する推薦を提供する推薦サーバに誘導する。
【００１７】
本発明の別の態様では、デジタルコンテンツとヘッダとを含むデジタルファイルを提供することにより、分散ネットワークを使用してサーバからユーザへデジタルコンテンツファイルを配信する方法及び装置を呈示し、ヘッダは、２つの部分、すなわち、クリアテキスト部分と暗号化部分に区分されており、ヘッダは、デジタルファイルのそれぞれのユーザを識別する情報とコンテンツソースを識別するリンクとを含む。
【００１８】
本発明の別の態様では、トークンが、ヘッダに設けられる。トークンは、様々な販売促進商品及びサービスのような追加のマテリアルを取得するために使用することができる。トークンは、お客様感謝プログラムの一部として使用される場合がある。
【図面の簡単な説明】
【００１９】
【図１Ａ】従来技術のデジタルオーディオファイルの構成要素を示す図である。
【図１Ｂ】本発明によって生成されたデジタルオーディオファイルの構成要素を示す図である。
【図１Ｃ】図１Ｂのデジタルファイルを生成するために小売業者によって使用される方法を示す図である。
【図２】準拠又は非準拠ＣＤから類似のＳＢ３ファイルを生成する方法を示す図である。
【図３】小売業者からのＳＢ３ファイルが本物であると判断するために準拠プレーヤによって行われる方法を示す図である。
【図３Ａ】準拠プレーヤの表示画面を示す図である。
【図４】別のユーザからのＳＢ３ファイルが本物かつ認証されていると判断するために準拠プレーヤによって行われる方法を示す図である。
【図５】ストリームコンテンツをユーザに取得させるユーザ間のリンクを共有する方法を示す図である。
【図６】本発明によるトークン又は付加価値コンテンツ及びサービスを商品と引き換える方法を示す図である。
【図７】幾人かのユーザが本発明によりＳＢ３デジタルファイルを受信かつ使用するシステムのブロック図である。
【図７Ａ】本発明によって構成された準拠プレーヤのブロック図である。
【図８】複合ウォーターマークを備えたファイルを取り扱う処理を示す図である。
【発明を実施するための形態】
【００２０】
上述のように、本発明は、デジタルファイルを配信するためのシステムを提供する。各デジタルファイルは、暗号化部分とクリアテキスト部分を備えたヘッダと、ＭＰ３圧縮フォーマット又はＭＰＥＧ−ＡＡＣなどのような他の公知のフォーマットのいずれかを使用して圧縮されたデジタルコンテンツとを含む。ファイルは、本明細書ではＳＢ３ファイルと呼び、以下に更に詳しく説明するように、従来の又はレガシープレーヤ（ＭＰ３プレーヤなど）と下位互換性がある。任意的に、ＳＢ３ファイルは、付加価値コンテンツ及びサービス（ＶＡＣＳ）を供給することができる。更に、任意的に、再生制御が、ウォーターマーク、デジタル署名、及び暗号化の組合せを通じてコンテンツ所有者に供給される。
【００２１】
オーディオウォーターマーク付けの概要
オーディオウォーターマークは、オーディオ信号自体に直接埋め込まれるデータである。オーディオウォーターマークは、人間によって感知できないものであるが、コンピュータソフトウエアによって読むことができる。オーディオウォーターマーク付け技術を供給する多くの会社が存在する。本発明のシステムは、（ｉ）視聴者によって認知できず、（ｉｉ）取り除くのが困難であり、かつ（ｉｉｉ）本発明者の特定の必要性に対してウォーターマークペイロードにおいて利用可能な十分なビットが存在する限り、あらゆるオーディオウォーターマーク付けを使用することができる。
【００２２】
現在、２つのグループ、すなわち、静的及び取引的に広く分類される利用可能な様々なタイプのオーディオウォーターマークが存在する。
【００２３】
静的ウォーターマークは、オンライン小売業者又はＣＤレプリケータ(replicator)に送信される前に通常はコンテンツ所有者又はプロバイダによって１つのマスターコピー当たり一回埋め込まれる。静的ウォーターマークは、いくつかのフィールドを含むことができ、各フィールドは、以下のようなある一定の情報に専用である。
【００２４】
・コンテンツＩＤ：配給業者によって所有されているＩＳＲＣ、パレンタルコントロール、及び主張(assert)を含む。コンテンツフィルタリングアプリケーションは、ファイルが著作権で保護されているか否かを判断するためにこのウォーターマークを検索することができる。
【００２５】
・製品ＩＤ：このウォーターマークフィールドは、ファイルが、本来、ＣＤ、ＤＶＤ、デジタルダウンロード、デジタルストリームなどで販売されたか否かを識別する。このようなファイルが違法のチャンネルで見つかった場合、ウォーターマークは、リークの初期ソースを特定することができる。
【００２６】
・小売業者ＩＤ：このウォーターマークフィールドは、ファイルを配信した小売業者の名前（例えば、Ａｍａｚｏｎ、ｉＴｕｎｅｓ、Ｎａｐｓｔｅｒ）を識別する。
【００２７】
・ＳＢ３ヘッダ存在：この１ビットウォーターマークは、ＳＢ３ヘッダがオーディオデータに添付されなくてはならないことを主張する。オーディオファイルがこのフィールドによってウォーターマークされているが、ＳＢ３ヘッダ存在が存在しない場合、ヘッダは、違法に取り去られていることになり、オーディオファイルを再生してはならない。
【００２８】
取引ウォーターマークは、最終消費者への販売の時点でオーディオファイル内に小売業者によって動的に生成されて埋め込まれる。潜在的な取引ウォーターマークフィールドは、以下の１つ又はそれよりも多くを含む。
【００２９】
ユーザＩＤ：コンテンツを購入する個々のユーザに対応する固有のＩＤ。理想的には、各エンドユーザは、全ての小売業者にわたって単一のユーザＩＤを有するが、これは、商業的に実行可能でない場合がある。代替的に、各エンドユーザは、特定のオンライン小売業者に対して１つのユーザＩＤを有する。言い換えると、各小売業者は、その購入者全てに対して同じユーザＩＤを提供する。ユーザＩＤは、ユーザの電子メールアドレスを含むことができる。
【００３０】
・日付／時間：ユーザがコンテンツを取得した日付及び時間。
【００３１】
・取引ＩＤ：この取引を一意的に識別するＩＤ。小売業者は、販売するコンテンツのあらゆるものに対して固有の取引ＩＤを生成しなくてはならない。理想的には、取引ＩＤは、全ての小売業者にわたって固有であるが、これは、商業的に実行可能でない場合がある。取引の詳細（小売価格、クライアントソフトウエアバージョン、ＩＰアドレス、ＩＳＲＣ、ユーザＩＤ、日付／時間など）は、データベースに記憶され、取引ＩＤによって参照される。
【００３２】
勿論、他の情報も同様にウォーターマークに含めることができる。
【００３３】
ＳＢ３ファイルフォーマット
この節は、全ての従来のＭＰ３プレーヤにわたって相互運用性を達成する「ＳＢ３」フォーマットを説明する。ＳＢ３フォーマットは、付加価値コンテンツ及びサービスを得るための機能をユーザに供給し、コンテンツ所有者にある一定のコンテンツ保護を供給することができる。
【００３４】
追加の情報を帯域内(in-band)オーディオウォーターマーク及び／又は帯域外(out-of-band)ヘッダに含めることができる。情報をウォーターマークに収める主な利点は、オーディオウォーターマークが堅牢である（すなわち、他者が情報を取り除くのが非常に困難である）ということである。欠点は、ウォーターマークに堅牢にかつ聞こえないように埋め込むのに利用可能な多くのビットがない点である。更に、オーディオウォーターマーク付けは、特に、ウォーターマークが取引方式で埋め込まれる場合、時間、コスト、及びコンピュータの観点から高価になる。
【００３５】
他方、取引ベースでも、オーディオファイルのヘッダ内に大量の情報を含むことは非常に簡単で廉価である。上述のように、ヘッダの欠点は、他者がオーディオファイルのヘッダを取り除き、これを異なるヘッダで置換することが比較的簡単であり、結果生じたオーディオファイルをあらゆるＭＰ３プレーヤにおいても再生することができることである。
【００３６】
ＳＢ３ファイルフォーマットは、オーディオファイル及び取引に関する情報（例えば、エンドユーザ、小売業者、時間／日付、曲の名前、その他）をヘッダファイルに含める。ＳＢ３ファイルフォーマットは、ヘッダが本来はファイルに添付されていたことを意味する１ビットウォーターマークも含む。
【００３７】
この設計に対する１つの欠点は、オーディオファイルのヘッダが取り除かれた場合、システムは、取引について何も知らないことである（例えば、曲を購入した人、曲が購入された時間、どの小売業者によるか、その他）。システムは、1ビットウォーターマークの形跡により、かつてヘッダが添付されていたことだけを知る。
【００３８】
他の構成では、ある一定のフィールドがヘッダから複製され、ヘッダはまた、埋め込まれたウォーターマークにこれらを入れる。例えば、コンテンツ所有者は、各オーディオファイルが特定の小売業者（例えば、Ａｍａｚｏｎ、Ａｐｐｌｅ、その他）に送信される前に、各オーディオファイルの小売業者ＩＤウォーターマーク及びヘッダを含めることができる。更に、小売業者は、オーディオファイルが消費者に送信される直前に最終顧客の固有のユーザＩＤをオーディオファイルに埋め込むことができる。ウォーターマークにこの特別な情報を追加することは、追加のコンピュータリソース及び費用を必要とするが、そのヘッダが違法に取り除かれている場合にファイルの起源について多くを知る機能に値する。
【００３９】
ファイルフォーマットの概要
ＳＢ３ファイルは、ＳＢ３ヘッダにオーディオファイルに関する関連の情報を記憶する。ヘッダは、「デジタル署名」（以下の節、「ヘッダセキュリティ」に説明する暗号化方法）されることになり、これは、ＳＢ３ヘッダ又はオーディオデータが変更された場合に確実にメディアプレーヤクライアントに教えることになる。ＳＢ３ファイル内のオーディオデータは、ファイルが添付された準拠ＳＢ３ヘッダを持たなければならないことを主張する簡単な1ビット静的ウォーターマークを埋め込まれる。この1ビット静的ウォーターマークは、「ＳＢ３ヘッダ存在」ウォーターマークと呼ばれる。準拠メディアプレーヤが、埋め込まれた「ＳＢ３ヘッダ存在」ウォーターマークを有するがファイルに添付されたＳＢ３ヘッダのないファイルを見た場合、プレーヤは、ヘッダが違法に取り除かれていることを知り、再生されることはない。ＳＢ３ヘッダのある一定の部分だけが、準拠プレーヤによって見ることができ、ヘッダの他の部分は、全てのＭＰ３プレーヤによって見ることができる。
【００４０】
ヘッダ情報
従来のＭＰ３ファイルの構造が図１Ａに示されており、ここで、ヘッダは、ＭＰ３圧縮オーディオデータファイルの最初に添付されている。ヘッダは、通常はビットレート、サンプルレート、コーデックバージョン、ステレオモードなどのような技術的な属性に加えて、タイトル、アーティスト、アルバム、年、ジャンルのようなＭＰ３オーディオファイルを記述する静的メタデータを収容する。
【００４１】
ＳＢ３ファイルフォーマットは、ＭＰ３ヘッダフォーマットに適合するが、アプリケーションに応じて数バイトから数メガバイトに及ぶある一定の追加の情報をそのヘッダに含める。標準的ＭＰ３メディアプレーヤがＳＢ３ファイル内のある一定のフィールドを認識した場合、標準的ＭＰ３メディアプレーヤは、これを省略してオーディオの再生を続けることになる。しかし、準拠ＳＢ３メディアプレーヤは、追加の情報を認識し、それに応じて作動することになる。
【００４２】
各ＳＢ３ファイルに対するヘッダは、小売業者が販売する特定の曲に関連付けられるある一定の静的メタデータフィールドのようないくつかのフィールドを収容することができる。これらのフィールドは、以下の１つ又はそれよりも多くを含むことができる。
【００４３】
・タイトル、アーティスト、アルバム、年、ジャンル、トラック数、カバーアート。
【００４４】
・ビットレート、サンプルレート、コーデックバージョン、ステレオモード。
【００４５】
・コンテンツＩＤ／レコーディング情報（上述のように、フォレンジック追跡に対する追加の必要性が存在する場合に（例えば、ヘッダが取り去られている場合）、レコーディング／製品／小売業者情報を静的ウォーターマークに埋め込むことができる）、ＩＳＲＣ、パレンタルコントロール。
【００４６】
・製品情報：電子的ダウンロード、ストリーム、ＣＤ、ラジオなどのようなオリジナル配信媒体を識別する。
【００４７】
・小売業者：オンライン小売業者の名前（例えば、Ａｍａｚｏｎ）を含む。
【００４８】
・ユーザ情報：ユーザＩＤ及び／又はユーザの電子メールアドレスを含む。
【００４９】
本発明により小売業者によってＳＢ３ファイルを準備する方法が図１Ｃに示されている。
【００５０】
オンライン小売業者が特定の消費者に曲をダウンロードするように準備する場合、オンライン小売業者は、従来の静的メタデータ１０２を含む様々なヘッダ情報、並びにＳＢ３「ヘッダ存在」ウォーターマーク１０４を含む追加の情報、並びに以下のような他の追加の取引メタデータフィールドを作成する。
【００５１】
特定のユーザ及び購入者に関するユーザデータ１０８は、以下の情報を含むことができる。
【００５２】
ａ．ユーザの名前。
【００５３】
ｂ．ユーザの電子メールアドレス。
【００５４】
ｃ．購入の日付／時間。
【００５５】
ｄ．ユーザを識別する固有のユーザＩＤ。このユーザＩＤは、様々なオンライン小売業者間で調整することができる場合、全ての小売業者にわたって一意的とすることができる。そうでなければ、ユーザＩＤは、特定のオンライン小売業者での特定の消費者に対してのみ一意的になる。
【００５６】
取引データ１１０は、以下の情報を含むことができる。
【００５７】
ａ．特定の曲の特定のコピーを識別する固有の取引ＩＤ。この取引ＩＤは、ヘッダ内の他の情報の全てと組み合わされ、集中化データベース（図示せず）に記憶される。
【００５８】
ｂ．「付加価値コンテンツ及びサービス」節で以下に説明するように、曲のストリームバージョン、追加の曲を購入するためのオンライン小売業者、トークンを商品と引き換えるためのウェブサイト、及び多くの他のもののような様々なアプリケーションを提供することができるウェブページに準拠メディアプレーヤを案内することができるいくつかのウェブリンク。
【００５９】
静的及び取引メタデータに加えて、着信音又は追加の音声／視覚データのような付加価値コンテンツ（ＶＡＣ）１１２は、特定のユーザに対する特定のファイルのヘッダに動的に挿入することができる。更なる詳細については、「付加価値コンテンツ及びサービス」節を参照されたい。
【００６０】
ＳＢ３ヘッダがアセンブルされる（段階１２）。この構造は、図１Ｂに示されている。
【００６１】
図１Ｂでは、ＳＢ３ヘッダデータの一部が暗号化され、別の部分が暗号化されていない点に注意すべきである。本明細書では「クリアテキストヘッダ」と呼ぶ非暗号化データは、あらゆる従来のＭＰ３プレーヤによってもビュー可能である。本明細書では「セキュアヘッダ」と呼ぶ暗号化ヘッダデータは、データを見るのに必要な解読キーを有する準拠プレーヤによってのみ見ることができる。本発明のシステムは、ある一定のヘッダデータフィールドが、クリアテキストヘッダ、セキュアヘッダ、又はこれらの両方にあるべきか否かを判断する柔軟性を有する。クリアテキスト及びセキュアヘッダの両方にユーザの電子メールアドレスのようなある一定のフィールドを含むことは有利になる。この特定の場合、公衆にビュー可能なユーザの電子メールアドレスを有することで、抑止的な要因を有することができる。更に、セキュアヘッダに電子メールアドレスを有することにより、このデータに対する保護の別のレベルを可能にする。他のデータフィールドは、クリアテキスト及びセキュアヘッダの両方に見つけることができる。これらのフィールドは、小売業者名、コンテンツが本来記録されていたか又はユーザに送信されたメディアのタイプ、トークンなどを含むことができる。更に、オーディオファイル１００は、ウォーターマーク１０４をそこに埋め込み（段階１４）、ウォーターマークされたオーディオファイル１２８をもたらすことによって修正される。
【００６２】
ヘッダ及びウォーターマークされたオーディオファイルの全てが、セキュア及びクリアテキストヘッダとウォーターマークされたオーディオファイルとを含む中間ファイル１１４に組み合わされる。
【００６３】
ヘッダセキュリティ
ＳＢ３ファイルがそのヘッダに非常に重要な情報を保持するので、ヘッダがエンドユーザに到達する前のいずれかの時点でそれが変更されたか否かを知ることは不可欠である。
【００６４】
小売業者が配信用ファイルをパッケージ化すると、図１Ｃに見られるように以下の段階が取られる。
【００６５】
・公開鍵暗号法を使用して、１つ又はそれよりも多くの公開／秘密ヘッダ鍵の対１１６が、オンライン小売業者（例えば、Ａｍａｚｏｎ）又は物理的小売業者を含む各正規の小売業者に対する中央の信頼できる局（例えば、Ｖｅｒｉｓｉｇｎ）によって生成される。
【００６６】
・ファイル１１４からのセキュアヘッダが、暗号化ヘッダ１１８を生成するために暗号化される（段階１６）。
【００６７】
・小売業者は、その顧客がＳＢ３ファイルを購入した場合に、その顧客の全てに公開鍵を送信する。
【００６８】
暗号化ヘッダ１１８及び中間ファイル１１４の残りは、メッセージダイジェスト１２０で使用されるハッシュを取得するためにハッシュ関数発生器に送られる(段階１８)。
【００６９】
次に、メッセージダイジェスト１２０は、デジタル署名１２４を作成するためにメッセージキー１２２を使用して暗号化される（段階２２）。デジタル署名１２４、暗号化ヘッダ１１８、クリアテキストヘッダ１２６、及びウォーターマークされたオーディオデータ１２８は、次に、ＳＢ３ファイル１３０を生成するために組み合わされる（段階２３）。
【００７０】
代替的に、段階１６及び１８は組み合わされ、メッセージダイジェストのためのハッシュが、ヘッダキーを使用して全中間ファイル１１４を暗号化し、次に、デジタル署名を生成するためにこの暗号化ファイルにハッシュ関数を加えることによって生成される。
【００７１】
ＣＤ−リッピング拡張
準拠メディアプレーヤは、オンラインで電子的に購入されたＳＢ３ファイルと同じ機能を有するＣＤからＳＢ３ファイルを生成することができるＣＤ−リッピングアプリケーションを有することができる。従来のＣＤは、埋め込みウォーターマークを持たないが、本発明では、使用されるＣＤは、上述の「ＳＢ３ヘッダ存在」ウォーターマークのような埋め込みウォーターマークを有する。
【００７２】
図２は、このような方法５０を示している。本方法では、準拠ＣＤ２００は、準拠ＣＤ−リッピングアプリケーションによってリッピングされる（段階５２）。段階５２の一部として、ユーザが初めてこのアプリケーションを使用しているかを判断するために試験が行われる。初めてこのアプリケーションを使用している場合、段階５４で、ユーザは、アプリケーションに登録し、個人情報を中央サーバ（図示せず）に好ましくはオンラインで提供する。段階５６で、登録処理中に取得されたユーザデータ２０２は、ユーザデータベース５８に保存される。
【００７３】
ユーザが以前に登録している場合（段階５２）、段階６０で、ユーザは、ユーザ名及びパスワードを使用してログインする。段階６２で、ユーザデータ２０２がデータベース５８から検索される。
【００７４】
準拠アプリケーションは、段階５０で、リッピング処理の一部としてオーディオデータ２０４及び付加価値コンテンツ２０６を生成する。アプリケーションは、段階６４で、「インターネット」アクセスを有するか否かを判断する。「インターネット」アクセスがない場合、アプリケーションは、ユーザ及び／又はローカルデータベースから静的オーディオメタデータ２０８を取得する（段階６６）。「インターネット」アクセスがある場合（段階６４）、静的オーディオメタデータ２０８が、Ｇｒａｃｅｎｏｔｅｓのようなリモートソースから取得される(段階６８)。代替的に、メタデータがユーザによって提供される。
【００７５】
段階７０で、様々なデータが取引データ２１０として組み合わされる。
【００７６】
段階７２で、ＳＢ３ヘッダ存在ウォーターマーク２１２が、オーディオデータ２０４に埋め込まれる。段階７４で、様々なデータが、セキュアヘッダ、クリアテキストヘッダ、及びウォーターマークされたデジタルデータを有する中間ファイルに組み合わされる。段階７６及び７８で、図１Ｃの装置及び方法のように、それぞれセキュアヘッダが暗号化されデジタル署名が作成される。段階８０で、デジタル署名及びファイル２１４は、図１Ｃのファイル１３０と同じ構成要素を有する最終ＳＢ３ファイル２１６を取得するために組み合わされる。
【００７７】
本方法は、以下の特徴を備えたＳＢ３ファイルを作成する。
【００７８】
・リッピングされたＳＢ３ファイルが、あらゆるＭＰ３プレーヤで再生可能である。
【００７９】
・リッピングされたＳＢ３ファイルが、あらゆる準拠メディアプレーヤで再生可能である。
【００８０】
・リッピングされたＳＢ３ファイルが、ユーザ（例えば、アリス）の識別子、ファイルヘッダに含まれたユーザＩＤ（アリス）、並びに他の個人情報を含む。これは、準拠プレーヤ内のＣＤ−リッピングファイルに対する再生制御を有効にする。
【００８１】
・ユーザが、従来のＣＤからリッピングされたＳＢ３ヘッダを不法に取り去った場合、ユーザは、あらゆる準拠プレーヤでファイルを再生することができる。しかし、ユーザが新しくウォーターマークされたＣＤからリッピングされたＳＢ３ヘッダを取り去った場合、準拠プレーヤは、ファイルを再生しない。
【００８２】
・ユーザが、ユーザがあたかも電子的にＳＢ３ファイルを購入しているように追加のＶＡＣＳに対して同じトークンを受け取る。単一のユーザ(例えば、アリス)だけがＣＤからのあらゆる所定の曲に対して単一のトークンを確実に受け取ることを可能にするために予防措置が取られる。例えば、アリスが新しく購入したＣＤを１０回リッピングした場合、アリスだけが、新しいＣＤからの１つの曲当たり１つのトークンを受け取る。
【００８３】
非準拠ＭＰ３アプリケーションが、ウォーターマークされたＣＤをリッピングするのに使用される場合、非準拠ＭＰ３アプリケーションは、ＳＢ３ヘッダ存在はないが、オーディオに埋め込まれた1ビットウォーターマークが存在するので、準拠メディアプレーヤで再生できないＭＰ３ファイルを作成する（以下に説明する）。
【００８４】
図７は、本発明が実施される一般的なシステムを示している。システム７００は、１つ又はそれよりも多くのコンテンツプロバイダ７０２、１つ又はそれよりも多くの物理的小売業者７０４、分散コンピュータネットワーク７０６、及びマスターサーバを含むことができる。マスターサーバは、集中化ユーザＩＤサーバ７１０、集中化メタデータサーバ７１２、集中化キーサーバ７１４、集中化ストリーミングサーバ７１６、及び集中化トークン引き換えサーバ７１８のようないくつかの要素を含む。物理的小売業者に加えて、システムは、１つ又はそれよりも多くのオンライン小売業者７２０を含むことができる。
【００８５】
最後に、システムは、アリス、ボブ、及びチャーリーのような幾人かのユーザを含む。各ユーザは、１つ又はそれよりも多くのデスクトップＰＣ７２２、１つ又はそれよりも多くの携帯式デバイス７２４、及び１つ又はそれよりも多くの携帯電話７２６を有することができる。これらのデバイスの各々は、ネットワーク化されており、ＳＢ３のようなデジタルオーディオファイルを受け取るプレーヤを組込み、音声プログラムの通りにそのオーディオデータを選択的に再生する。ここで、一部の典型的な作動モードを図面と共に説明する。
【００８６】
本発明によって構成された準拠プレーヤ７４０のブロック図が図７Ａに示されている。このプレーヤ７４０は、１つ又はそれよりも多くのデバイス７２２、７２４、７２６に埋め込まれる。プレーヤ７４０は、マイクロプロセッサ７４２、ユーザにメッセージ及び他の情報を提供するためのディスプレイ７４４、及びユーザから指令及び他の情報を受け取るための実際の又は仮想のキー及び／又はキーボードのような１つ又はそれよりも多くのユーザ入力７４６を含む。マイクロプロセッサは、本明細書に説明する様々な機能を実行するためにソフトウエアによって作動される。プレーヤ７４０は、準拠デジタルオーディオファイルＳＢ３又は従来のデジタルファイルのいずれかを受け取るファイル入力を更に含む。プレーヤは、更に、ヘッダ検出器７５０、ヘッダ解読器７５２、ウォーターマーク検出器７５４、オーディオファイル解凍器７５６、メモリ７５８、Ｄ／Ａコンバータ７６０、「インターネット」ポート７６２、ハッシュ発生器７６４、及びメッセージダイジェスト発生器７６６を含む。プレーヤの様々な要素は、分かり易いように別々の要素として呈示されているが、プレーヤは、組込みプレーヤ又は独立型プレーヤのいずれかとしてソフトウエアによって実施され、ウィジェット、アプリケーション、プラグ−イン、及びサイドバーのようないくつかのフォーマットを有することができ、更に、ブロガー、マイスペース、フェースブック、及び他のアプリケーションのような第三者ウェブサイトに関連付けられたリンクに埋め込まれることが好ましいことは理解されるものとする。
【００８７】
ここで、プレーヤ７４０の作動を図３、４、５、７Ａ、及び８の流れ図と共に説明する。ＳＢ３ファイルがプレーヤ７４０のような準拠プレーヤによって受信されると、プレーヤは、最初に、ファイルが本物であるか否かを検査する。この処理３００は、図３に説明されている。顧客、例えば、アリスが、コンテンツプロバイダ７０２、物理的小売業者７０４、又はオンライン小売業者７２０からＳＢ３ファイルをダウンロード又はインポートする。ファイルが、ファイル入力７４８によって受信される。エンドユーザ（アリス）がＳＢ３ファイルを受信した状態で、以下の段階が図３に見られるようにマイクロプロセッサ７４２によって取られる。
【００８８】
１．アリスの準拠メディアプレーヤのマイクロプロセッサ７４２が、ヘッダ検出器７５０を使用して、ＳＢ３ヘッダファイル存在があるか否かを最初に検査する（段階３０４）。
【００８９】
ａ．ＳＢ３ヘッダ存在がある場合、下の段階３２０及び３２２に移る。
【００９０】
ｂ．ＳＢ３ヘッダ存在がない場合、マイクロプロセッサ７４２は、ウォーターマーク検出器７５４を使用してファイルに埋め込まれた「ＳＢ３ヘッダ存在」ウォーターマークがあるか否かを検査する（段階３０６、３０８）。
【００９１】
ｉ．ウォーターマークが検出された場合、ＳＢ３ヘッダが取り除かれ、ファイルは再生されない（段階３１２）。代替実施形態では、ウォーターマークは、そこに埋め込まれたデータを取得するために復号され、ヘッダからの情報の少なくとも一部（この情報は、暗号化部分、クリアテキスト部分、又は両方のいずれかからとすることができる）と比較される。情報とデータが適合した場合、ヘッダは、本物であると判断され、ユーザは、以下に説明するように提供された様々なＶＡＣＳへのアクセスを取得することができる。情報とデータが適合しなかった場合、ヘッダは、違法に修正又は改悪されており、ＶＡＣＳへのアクセスは許可されない。
【００９２】
ｉｉ．オーディオファイルに「ＳＢ３ヘッダ存在」ウォーターマークがない場合、ファイルは、従来のものか又はレガシーＭＰ３ファイルのはずであり、再生されることになる（段階３１０）。オーディオファイルは、メモリ７５８に記憶され、及び／又は解凍器７５６によって解凍される。いずれの場合にもファイルを再生することができる（段階３１３）。この処理の一部として、解凍されたオーディオファイルは、２つ又はそれよりも多くのスピーカ（図示せず）によって複製することができる対応するアナログ信号を生成するＤ／Ａコンバータ７６０に送られる。
【００９３】
２．マイクロプロセッサ７４２は、計算されたメッセージダイジェストを取得するために段階３２０でＳＢ３ファイル１３０のその固有のハッシュを計算する（ハッシュマーク発生器７６４において）。メディアプレーヤは、メッセージダイジェスト発生器７６６を使用して受信したメッセージダイジェスト３６０（図１Ｃにおけるメッセージダイジェスト１２０と同一になるはずである）を生成するためにメッセージキー１２２を使用してファイル１３０から受信したデジタル署名を解読する（段階３２２）。
【００９４】
３．マイクロプロセッサ７４２は、受信したメッセージダイジェスト１２０を計算されたメッセージダイジェスト３６０と比較する（段階３２４）。
【００９５】
ａ．これらが等しい場合、マイクロプロセッサ７４２は、ＳＢ３ファイル内のビットが変更されておらず、従って、ＳＢ３ファイルが本物であることを保証され（段階３２６）、更に、ＳＢ３ファイルを記憶及び／又は再生することができ、他の機能を以下に説明するようにこれと共に実行することができる。
【００９６】
ｂ．これらが等しくない場合、マイクロプロセッサは、ファイルが修正されていることを知り（段階３２８）、ファイルが変更されており記憶又は再生されないというメッセージをユーザにディスプレイ７４４上に呈示する（段階３３０）。
【００９７】
小売業者７２０のような特定の小売業者からコンテンツを購入する全ての消費者は、その固有のヘッダの信頼性を検査するために同じ公開鍵を使用する。例えば、アリスとボブが小売業者７２０からファイルを買った場合、アリスとボブは、２人とも受信したファイルのデジタル署名を解読するために同じ公開鍵を使用する。アリスは、ボブにＳＢ３ファイルのコピーを送信したいが、アリスがボブに読ませたくない一部の情報がアリスのＳＢ３ヘッダに存在する可能性がある。更に、オンライン小売業者７２０は、例えば、アリスのクレジットカード番号のようなアリスによる以外は読むことのできないアリスの曲のセキュアヘッダ内のある一定の情報を欲しい可能性がある。従って、アリスに対してだけ固有でありアリスだけが解読することができるＳＢ３ヘッダにおける暗号化の別のレベルが存在することができる。例えば、小売業者は、そのＳＢ３ファイル全てのデジタル署名をセキュアにするために１つの公開／秘密鍵の対を使用し、全てのユーザに対してセキュアヘッダの一部分をセキュアにするために別の公開／秘密鍵対を使用することができ、各エンドユーザに対して個々にセキュアヘッダの残りをセキュアにするために異なる暗号化鍵方式を使用することができる。
【００９８】
ファイルが変更されているか否かを見るためにハッシュを検査するこの処理は、「認証」と呼ばれる。認証は、ファイルにおける違法な変更を検出するためにのみ重要であるわけではない。ＳＢ３ファイルが変更されていないと確認することができる場合、消費者は、ＳＢ３ファイルが信頼できる小売業者からの「本物である」高品質オーディオファイルであることを知る。場合によっては、多くの違法な小売業者が、低品質のＭＰ３ファイルを販売している可能性がある。ファイルが本物である場合に、ディスプレイ７４４上に小さなアイコン（認証されたウェブサイトが訪問されている場合のウェブブラウザ上の黄色いロックアイコンに類似）を表示することにより、ユーザは、ファイルが、未知の品質を有する未知のソースからのＭＰ３ファイルと対比して高品質の合法的なＳＢ３トラックであることを知る。
【００９９】
図３Ａは、準拠プレーヤ７４０のディスプレイ７４４上に示されている一般的な画像を示している。画像は、停止、早送り、繰り出しなどのようなＳＢ３ファイルのオーディオ部分を再生するための様々な標準的な制御３７２を含む。代替的に、プレーヤは、ユーザからの指令及び他の情報を受け取るのに使用される別々の物理キー又はユーザ入力の他のタイプ７４６を有することができる。更に、ヘッダからの静的又は動的リンク又はトークンを起動するために、又は説明するように他者とのコンテンツの共有を開始するように選択することができるいくつかのハード又はソフトキー３７４、３７６、３７７を有することができる。これらのキーを起動することで、指示された目的に対するそれぞれのウィジェットをトリガすることができる。一実施形態では、準拠プレーヤは、デジタルコンテンツに関する様々な情報（例えば、タイトル、アーティスト、長さ、アルバムの名前、アルバムアートワーク、その他）を表示するのに使用されるディスプレイ７４４のためのサイドバーを開くようなっている。キー３７４、３７６、３７７は、サイドバーの一部とすることができる。
【０１００】
代替実施形態では、ファイルＳＢ３は、ウォーターマークを持たず、準拠プレーヤは何も要求しない。この場合、図３の流れ図では、段階３０４で、署名又はヘッダが存在しない場合、マイクロプロセッサ７４２は、ファイルが認証されていないと仮定する（段階３１２）。代替的に、マイクロプロセッサは、ファイルがレガシーオーディオファイルであると仮定する（段階３１２）。
【０１０１】
再生制御
本発明のシステムにより、ユーザは、限界(limit)までＳＢ３ファイルを送信し、小さな組の友人と共有することができる。この限界に達した状態で、ユーザは、これらに対して支払いすることなしにいずれの他の人々からも曲を受信できない。全ＳＢ３ファイルを友人に送信する処理は、「音楽共有」節で以下に説明する曲のストリームプレビューバージョンへのリンクを友人に送信する機能とは別の機能である。
【０１０２】
小売業者から直接ではなく別の顧客から受信したＳＢ３ファイルを再生するための処理４００を図４に関してここで説明する。ユーザ（例えば、ボブ）が準拠メディアプレーヤで別のユーザ（通常、友人、例えば、アリス）から新しいＳＢ３ファイル１３０を受信した場合、暗号化ヘッダ１１８が、最初にヘッダ検出器７５０（図７Ａ）によってヘッダキー１１６を使用して解読される（段階４０４）。次に、ユーザＩＤ４６２が、合成セキュアヘッダ４６０から抽出される（段階４０６）。このユーザＩＤは、ＳＢ３ファイルをそこから取得した他の顧客を識別する。段階４０８で、ローカルデータベース４５０が、他のＳＢ３ファイルが同じユーザ（アリス）から受信されているかを判断するために検査される。次に、ファイルが以前に同じユーザから受信されているか否かの判断が行われる（段階４１０）。答えが「イエス」である場合、段階４１２でプレーヤが有効にされ、通常方式でデジタルオーディオファイルを再生することに進むことができる。これが新しいファイルソースである場合、段階４１４で、オーディオファイルをボブに提供したユーザの数を指示する数字Ｍがローカルデータベース４５０から検索される。一実施形態では、同じローカルユーザＩＤデータベース４５０を共有している所定の顧客の1つ又は複数の準拠プレーヤは、他の顧客の所定の数Ｎからだけオーディオファイルを受信して再生することができる。Ｎは、例えば、５とすることができる。
【０１０３】
従って、図４では、段階４１４で数Ｍがデータベース４５０から検索される。段階４１６で、閾値Ｎに到達しているかを判断するために検査が行われる。Ｍ＝Ｎである場合、マイクロプロセッサ７４２は、ファイルの再生を拒否し、適切なメッセージがディスプレイ７４４上で段階４１８においてユーザ（ボブ）に示される。Ｍ＜Ｎである場合、段階４２０で、アリスのユーザＩＤがデータベース４５０に追加され、Ｍが１だけ増分される。段階４２２で、プレーヤが有効にされ、オーディオデータ１２８を再生することができるようなる。
【０１０４】
より具体的には、アリスが購入したＳＢ３ファイルの全てが、ヘッダ内に彼女のユーザＩＤ（アリス）を有する。同様に、ボブは、ボブが購入したＳＢ３ファイルの全てのヘッダ内に彼のユーザＩＤ（ボブ）を有する。アリスは、ボブにアリスが購入した曲を送信することができ、ここで、ボブは、データベース４５０に固有のユーザＩＤを有する（ボブ固有のものに加えて）。本発明のシステムが５人の固有のユーザの制限値を設定している場合、ボブは、ボブの準拠メディアプレーヤが、他の誰かからボブがコンテンツを受け取ることを阻止する前に、４人の友人から購入コンテンツを受け取ることができる。
【０１０５】
ウォーターマーク拡張
上述のように、ある一定の情報は、帯域内ウォーターマークにセキュア及び／又はクリアテキストヘッダから含めることができ、これは、違法に修正されたファイルの起源を追跡するためのある程度のフォレンジック機能を提供する。以下の実施例では、コンテンツ所有者は、オーディオウォーターマークに小売業者ＩＤ（ファイルを販売した小売業者を識別する）を含め、小売業者は、販売及び配信される直前にウォーターマークに個々の消費者のユーザＩＤ（ファイルを購入したユーザを識別する）を含める。理想的には、小売業者及びコンテンツ所有者は、同じ技術を使用してウォーターマークを作成して挿入する。しかし、小売業者ＩＤウォーターマークを生成して埋め込むために１つの技術がコンテンツ所有者によって使用され、ファイルにユーザＩＤウォーターマークを生成して埋め込むために別の技術が小売業者によって使用される可能性がある。
【０１０６】
図８を見て分るように、本発明のシステムは、最初に、ＳＢ３ヘッダの存在を検査する（段階８０２）。ＳＢ３ヘッダが存在しない場合、１ビットウォーターマークを検査する（段階８０４）。１ビットウォーターマークはあるが、ＳＢ３ヘッダが存在しない場合、誰かがウォーターマークされたファイルからＳＢ３ヘッダを違法に取り除いていることになる。本発明のシステムは、オーディオデータからユーザＩＤ及び小売業者ＩＤウォーターマークを検索し（段階８０６）、この情報を更に別のフォレンジック試験のために中央サーバに送信する（段階８０８）。本発明のシステムは、更に、デジタル署名に対応するハッシュを生成し（段階８１０）、次に、それを認証する。ハッシュが認証されていない場合、受信したファイル（又は少なくともそのヘッダ）が修正される。この情報は、中央フォレンジック調査に供給される。
【０１０７】
ハッシュが段階８１２で本物である場合、許容可能なユーザの数（例えば、ファイルのソース）を超えているか否かを判断するために試験が行われる。超えている場合、段階８１４で、ファイルが有効ではなくオーディオデータが再生されないというメッセージがユーザに呈示される。
【０１０８】
段階８１２で、Ｎを超えていないことが見つかった場合、システムは、段階８１６に進み、このファイルに対するアダルト制御フラグがオンであるかを判断する。オンでない場合、ＳＢ３は再生可能になり、準拠プレーヤが有効にされる（段階８１８）。段階８１６でアダルトコンテンツフラグがオンである場合、子供がデバイスを操作しているかを判断するために更に別の試験が行われる。クレジットカードを要求する段階を含むこの判断を実行するためのいくつかの公知の技術が存在する。ユーザが子供であると判断された場合、ファイルが再生されないというメッセージが再度示される（段階８１４）。
【０１０９】
付加価値コンテンツ及びサービス
ＳＢ１３は、ファイルと共に束ねられた任意的な付加価値コンテンツ及びサービス（ＶＡＣＳ）を含むことができ、ユーザが受け取るために準拠メディアプレーヤ（一部の再生制限を有する）に切り換えたいと思わせるようにすることが好ましい。付加価値コンテンツは、ヘッダ自体内に記憶でき（例えば、追加の曲、着信音、ビデオ、クーポン）、又はＶＡＣＳは、ＳＢ３ヘッダに記憶されているウェブリンクによって参照することができる。
【０１１０】
ＳＢ３ヘッダは、主なＭＰ３メディアプレーヤ（例えば、ウィンドウズ（登録商標）メディアプレーヤ、ｉＴｕｎｅｓ、Ｗｉｎａｍｐ）の全てに対して広く使用されるＭＰ３ヘッダフォーマットであるＩＤ３ｖ２ヘッダフォーマットを使用することが好ましい。ＳＢ３が異なるオーディオ圧縮フォーマット（例えば、ＭＰＥＧ−ＡＡＣ）を使用する場合、ＳＢ３は、そのオーディオ圧縮フォーマットと同じヘッダフォーマット（例えば、ＡＤＴＳ）を使用することができる。レガシーの非準拠ＭＰ３プレーヤが、そのヘッダ内のセキュアにされた付加価値コンテンツの２ＭＢを収容したＳＢ３ファイルを再生しようとする場合、ＭＰ３プレーヤは、殆どの主なＭＰ３復号器を使用するＩＤ３ｖ２ヘッダフォーマットに規定されているようにコンテンツのセキュリティを処理できないので、データのこの２ＭＢを単純に省略する。ＩＤ３ｖ２ヘッダは、２５６メガバイトまで保持するほど十分に柔軟であるが、特定のＭＰ３復号器実施に利用可能なメモリリソースは、最終的なＳＢ３ヘッダのサイズを実質的に制限する可能性がある。
【０１１１】
上述のように、付加価値コンテンツ及びサービスは、ＳＢ３ヘッダで直接又はセキュアウェブリンクを通じて間接的に提供される。
【０１１２】
音楽共有
多くの消費者が望む１つの付加価値サービスは、自分のコンテンツを友人と共有する機能である。アリスが曲を購入し、この曲を彼女の友人のボブと共有したいとする。上述のように、アリスがこれを実行することができる１つの方法は、対応するＳＢ３ファイルを送信することである。別の方法をここで呈示する。この実施形態によると、アリスのＳＢ３ファイルのヘッダのセキュア部分の内側に、ボブの準拠メディアプレーヤにセキュアに送信されるいくつかのウェブリンクが存在する。以前は、このようなリンクは、アリスがダウンロードしたばかりの曲のストリームをホストする集中化サーバ７１６（図７）に向けることができた。代替的に、集中化した共有は、それぞれのストリームを提供する別のサイトにアクセスするためのリンクに向けることができる。アリスは、図３Ａの３７７のような適切なボタンを選択することによってこのリンクをボブに送信することができ、このリンクにより、ボブは、集中化サーバ７１６からボブの準拠メディアプレーヤにアリスの曲のバージョン（「共有ストリーム」リンク）をストリームすることができるようなる。別のリンク（「曲購入」リンク）は、ボブが自分のために曲を購入したい場合に使用するオンライン小売業者７２０に関する。この処理を図５と共に説明する。ボブの準拠メディアプレーヤは、ボブの携帯電話７２６、ボブの独立型ＰＣ７２２の１つにおけるアプリケーションを含むボブのネットワーキングデバイスのいずれかに存在することができ、又はボブのソーシャルネットワークプロフィールウェブページ内のウィジェット埋め込みアプリケーションとすることができる。
【０１１３】
図５に示すように、アリスは、上述のように本物であるＳＢファイル１３０Ａを受け取る。ヘッダのフィールドの１つ、例えば、暗号化ヘッダに埋め込まれて、共有リンク、購入リンク、及びこれらのリンクの使用を判断する１組の規則のような１つ又はそれよりも多くのリンクの形式で付加価値コンテンツ及びサービスを構成するＶＡＣＳフィールド５６２が存在する。このフィールドは、段階５０２で抽出される。アリスがストリームドデジタルファイル又は購入機会のいずれかとしてオーディオファイルを共有することができることをアリスに示すための情報がアリスに示される。例えば、アリスにこの利用可能なオプションを指示するために、ボタン３７４が、タイトル「共有（ＳＨＡＲＥ）」と共にプレーヤ画面（図３Ａ）上に表示される。
【０１１４】
アリスがボタン３７４を選択又はアクティベートすると（段階５０３）、データフィールド５６２は、電子メール、ＩＭ、ブログ、ウィジェット、又は他の類似の電子手段の一部としてボブのプレーヤに送信される。フィールドは、段階５０４で受信される。
【０１１５】
フィールド５６２を受信した状態で、ボブには、１つ又はそれよりも多くのオプションが例えばボブのプレーヤ画面（図示せず）上に提供される。１つのオプションは、ボブがアリスによって試聴又は購入された曲を購入することができることである。ボブがこのオプションを選択した場合（段階５０８）、ボブのプレーヤ又は他のデバイスが、購入リンク５６２Ａとしてアリスからの情報によって識別された小売業者のウェブサイトにコンタクトする。リンク５６２Ａは、直接又は間接リンクとすることができる。次に、ボブのデバイスは、小売業者７０４又は７２０からの購入を実行し、新しいファイルＳＢ３がボブに送信される。ボブは、ここで準拠又はレガシープレーヤにおいていつでも購入したファイルを再生することができる。
【０１１６】
代替的に、利用可能な場合、ボブは、共有ストリームオプションを選択する。この場合、段階５０６で、ボブのユーザＩＤ５６４が検索される。段階５１０で、そのリンク５６２Ｂによって識別されたストリームサーバが、アリス及び（任意的に）ボブのユーザＩＤ、及び共有規則５６２Ｃによってフラグを立てられたコンテンツに対する要求によってアクセスされる。ストリームサーバ７１６は、段階５１２でこの要求を受け取る。段階５１４で、サーバは、ローカルデータベース５４０からボブの過去の履歴（ローカルデータベース５４０からのデータフィールド５１８）と共にその固有の使用規則を検索する。代替的に、ボブは、ボブが登録しておらず、従って、ボブの過去の履歴が知られていない場合でもストリームを試聴することができる。段階５１６で、サーバ規則及びストリーム規則５６２が比較され、更新された共有規則５７０を作成するために相互に関連付けられる。
【０１１７】
次に、段階５１８で、デジタルオーディオデータの適切な共有バージョンがサーバ７１６から取得される。段階５２０で、ボブのデータレコードが更新され、データベース５４０に送信される。
【０１１８】
次に、段階５２２で、共有データコンテンツ５７２が、要求及び言及された規則に基づいて選択され、ボブに配信される。ボブは、コンテンツを受信し、これを再生する（段階５２４）。小売業者又はコンテンツプロバイダによって設定された規則及び多くの条件に応じて、コンテンツは、それぞれの性能のショートクリップ、全デジタルオーディオコンテンツ、公知のコメンテーターによるコメントなどである。
【０１１９】
一実施形態では、図５に示す全処理は、図４と共に上述した再生規則に従う。すなわち、ボブが４人の他者と以前にコンテンツを共有していた場合、図５の処理は、開始されない。勿論、ボブが、レガシー非準拠ＭＰ３プレーヤを使用している場合、ボブは、いずれの再生制御規則にも従わない。
【０１２０】
ＳＢ３ファイルに「共有ストリーム」リンクを埋め込む目的は、合法的にユーザが互いにコンテンツを共有することを容易かつ迅速にすることである。ユーザは、電子メール又はｐ２ｐネットワーク上でマルチメガバイトファイルを移動させてまわる必要はなく、逆に、ユーザは、ユーザの準拠メディアプレーヤの中から友人の名前及びアドレス、並びにユーザが共有したい曲を容易に選択することができる。
【０１２１】
共有ストリームリンクに加えて、共有ストリームをどのようにレンダリングすることができるかを指示する１組の規則（購入された曲のコンテンツ所有者によって設定された）が、アリスのヘッダに存在するであろう。この使用規則の組は、共有ストリームリンクと共にアリスからボブに送信される。例えば、規則は、ボブによって試聴される共有ストリームをオリジナル曲の３０秒セグメントだけに制限すると記述することができる。規則は、代わりに、オリジナル曲の全曲を１０回まで又は次の５日間に無制限の回数だけ無料で試聴することができると記述することができる。ボブに対して共有ストリーム５２２をホストする集中化サーバ７１６は、アリスによって購入されたファイルにおける規則の組を補足又は修正することができるコンテンツ所有者によって設定された規則の組のその固有の組を有することができる。それによってコンテンツ所有者は、アリスがアリスのオリジナル曲を購入した時間の後に共有ストリームに対する許容可能な規則を柔軟に修正することができる。
【０１２２】
本発明のシステムは、複数の友人が異なる小売業者から購入された同一の曲からの共有ストリームをボブに送信し、ボブが複数の準拠メディアプレーヤからこの曲を試聴する場合でも、ボブが適正な使用規則に従うことを保証することができる。例えば、アリスが、Ａｍａｚｏｎから新しいビヨンセの曲を購入し、ボブがこの共有ストリームを聞くことのできるリンクが、ボブに送信されたとする。コンテンツ所有者は、新しいビヨンセの曲の共有ストリームバージョンが全曲で１０回試聴することができるという使用規則を設定している。１０回目の再生の後、ボブは、３０秒のクリップだけを聞くことができる。ボブに送信された共有ストリームをホストする集中化サーバ７１６は、この新しいビヨンセの曲をボブが何回聞いたかを追跡する。次の１週間の間、ボブは、アリスのビヨンセの曲の共有ストリームの全曲をボブの様々な準拠メディアプレーヤの３つから総合的に１０回聞く。１１回目にボブが同じ曲を聴くことを要求した場合、サーバは、ボブがボブの許容可能な１０回の全曲再生を既に超えていることを知り、それによってサーバは、代わりに３０秒のバージョンをボブに送信する。２週間後、アリスが購入した同じビヨンセの曲をチャーリーが買う。チャーリーは、Ａｍａｚｏｎの代わりにグーグルから曲を購入している。チャーリーは、ボブにチャーリーの新しいビヨンセの曲へのリンク、並びにビヨンセの曲のアリスのコピーにおける使用規則と同一の使用規則を送信する。ボブがビヨンセの曲のチャーリーのバージョンを聞くことを要求した場合、集中化サーバは、ボブが同じビヨンセの曲（アリスから）を既に１０回聞いていることを認識し、それによってボブは、ボブがビヨンセの曲のアリス又はチャーリーの共有ストリームリンクのいずれをクリックしても、曲の３０秒バージョンしか聞けない。コンテンツ所有者が、恐らくボブが最近多くの曲を購入しており、コンテンツ所有者がボブに報酬を与えたいと選択した場合、ボブにビヨンセの曲の更に１０個の全曲ストリームを許可するために、ビヨンセの曲の共有ストリームの使用規則を集中化サーバで更新することができる。
【０１２３】
好ましくは、共有ストリームにアクセスするために、いずれの準拠メディアプレーヤも、ストリームをホストする同じ集中化サーバ（又は様々な分散サーバ）にアクセスする必要がある点に注意すべきである。この集中化サーバは、準拠メディアプレーヤを使用している消費者のユーザＩＤ、及びいずれかの特定のユーザがいずれかの特定の共有ストリームを聞いた回数（及び日数）を知っている。これは、単一の消費者（アリス）が小売業者及び準拠メディアプレーヤにわたって同じユーザＩＤを使用すると仮定している。同じ曲（新しいビヨンセの曲）の全てのコピーは、曲を販売した小売業者に関係なく、同じ集中化サーバに向う同じ共有ストリームリンクを有し、これらは全て、コンテンツ所有者によって設定された同じ使用規則を有する。アリスが様々な小売業者で様々なユーザＩＤを有する場合、集中化サーバは、これに応じて調整することができる。
【０１２４】
ユーザが仮にＳＢ３ファイルからヘッダを剥ぎ取る場合、ユーザは、いずれの他のユーザとも共有ストリームとして曲を共有できなくなるであろう。ユーザは、別のユーザにレガシー非準拠ＭＰ３プレーヤで依然として再生することができる全ＳＢ３ファイルを電子メールすることができるが、その意図は、準拠プレーヤと共有することが、より単純かつより柔軟であり、彼らの準拠メディアプレーヤ内により良く統合されると考えられるということである。
【０１２５】
オーディオストリームを受け取る一方で、ボブは、曲を購入するオプションを呈示される。ボブが曲を（小売業者段階５０８の１つから）購入した状態で、ボブは、いくつかのオプションを有することができる。１つのオプションは、ボブに非制限的時間量で再生の非制限的回数で曲の全曲毎にストリーム（ダウンロードではなく）を許可することである。別のオプションは、ボブに対して固有のヘッダを備えたダウンロード可能なＳＢ３ファイルを作成することである。ボブの準拠プレーヤは、本来はアリスによって送信されたビヨンセの曲を収容するファイル５６２から曲購入リンク５６２Ａを取得し、オンライン小売業者にアクセスし、適切な支払いを提供し、及び新しいＳＢ３ファイルを受け取る。
【０１２６】
集中化ストリーミングサーバ７１６は、アリスが友人と共有する曲の数を追跡し、どのくらいの数の曲がアリスの共有の結果として最終的に購入されたか追跡することができる。アリスは、アリスが共有して購入したトラックの数を公に表示することを選択することができ、これは共有又は購入のいずれの高い数字も、アリスを「流行製造者」として公に指名することができるからである。アリスには、流行製造者であることに対して無料コンテンツ及び／又はサービスが報酬として与えられる。例えば、アリスの友人の十分な数が特定の曲を買った場合、アリスは、以下に更に詳しく説明するようにトークンを取得する。
【０１２７】
共有ストリームリンク５６２Ｂ及び曲購入リンク５６２Ａは、アリスのＳＢ３ヘッダ内にセキュアに記憶され、ボブの準拠メディアプレーヤにセキュアに転送されることが好ましい。ＳＢ３ファイルのヘッダ内のリンクがセキュアに添付されていない場合、心ないユーザが、初期小売業者ウェブリンクをスパムウェブサイト、ウイルス、又は他の望ましくない及び／又は有害なコンテンツに向うリンクで置換する可能性がある。ウェブリンクがアリスの認証されたヘッダファイルに埋め込まれているので、ボブは、アリスからのあらゆるものが認証された合法的で安全な音楽へのリンクとして信頼できることを知っている。ボブは、リンクが送信中にセキュアであることを保証するためにウェブリンクを受け取る準拠メディアプレーヤを使用しなくてはならない。
【０１２８】
共有ストリームリンク５６２Ｂ及び曲購入リンク５６２Ａに加えて、いくつかの他のセキュアにされたリンクは、ユーザの好み、友人の好み、又はユーザの購入履歴、又はＳＢ３ファイルにおけるアーティスト専用ウェブサイトに基づいて推薦された曲に対する共有ストリームリンクをプッシュすることができるウェブサイトのような様々な目的のためにＳＢ３ヘッダに含めることができる。
【０１２９】
本明細書に説明する様々なリンク（あらゆる購入、共有ストリーム、推薦リンクなどを含む）は、静的又は動的のいずれかとすることができる。静的リンクは、ユーザに配信する時又はその前に設定される。動的リンクは、それぞれのファイルがユーザに送信された後に変更することができるリンクである。この後者の場合、動的リンクは、それぞれの集中化サーバのロケーションに向う。コンテンツ又はＶＡＣＳの実際のアドレスは、サーバに記憶され、コンテンツプロバイダ、小売業者などによって任意に変更することができる。
【０１３０】
本発明の別の実施形態では、様々なプログラム及び他のコンテンツを記憶するか又はこれらへのアクセスを有する推薦サーバ７１９を提供する。推薦サーバ７１９は、静的又は動的リンクによってアクセス可能であり、このリンクは、ＳＢ１３ファイルの見出しに埋め込まれる。ユーザ、例えば、アリスがＳＢ３ファイルを取得した場合、推薦が利用可能であることを示すために、別のボタンがディスプレイ７３０上に示される。アリスがこのボタンを起動すると、メッセージが、アリスが購入したコンテンツファイル、プレーヤメモリに記憶されている他のデジタルファイルのタイトル又はジャンル、及びアリスの好みを示す他の類似のデータのような様々な情報と共にアリスの準拠プレーヤによって推薦サーバ７１９に送信される。この情報に基づいて、推薦サーバは、他の類似のプログラム又はデジタルコンテンツを選択し、これらをアリスに送信する。これらの推薦は、アリスが推薦されたコンテンツをそこからダウンロードすることができ、コンテンツのレビュー、共有リンクを取得し、コンテンツの小さなクリップを取得することなどができる更に他のリンクとすることができる。
【０１３１】
トークン
本発明はまた、ユーザにトークンを配信する段階を伴っている。これらのトークンは、１人又はそれよりも多くのユーザに、良い顧客であることに対する報酬として様々な商品及びサービスを含む追加のマテリアルを得る資格を与える。これらのトークンは、ＳＢ３ファイルの一部として提供されることが好ましい。例えば、購入されたＳＢ３ファイルは、無料着信音、無料の曲、コンテンツに結び付けられた実際の製品（例えば、絵、ロゴ及び／又は曲のタイトルを備えたマグ又はＴシャツ）のような付加価値コンテンツ及びサービス（ＶＡＣＳ）、又は無料対話式音楽サービスへのアクセスを受け取るために引き換えて収集されるトークンとして作用し、又はそれを含むことができる。
【０１３２】
本発明のこの態様を図６に示している。この図では、アリスがＡｍａｚｏｎのような小売業者からＳＢ３ファイルを備えた新しいビヨンセの曲を購入する。言い換えると、アリスは、段階６０２で、ファイル６５０をインポート又はそうでなければダウンロードする。前の処理のように、ファイル６５０は、デジタル署名６５０Ａ、暗号化ヘッダ６５０Ｂ、クリアテキストヘッダ６５０Ｃ、及び新しいビヨンセの曲として再生することができるオーディオデータ６５０Ｄを含む。暗号化ヘッダ６５０Ｂは、セキュアヘッダファイル６５４を取得するためにヘッダキー６５２を使用して段階６０４で解読される。段階６０６で、アリスの準拠プレーヤは、デジタルオーディオファイルを識別するコンテンツＩＤ６５４Ａ、アリスのユーザＩＤ６５４Ｂ、取引ＩＤ６５４Ｃ、及びトークン引き換えリンク６５４Ｄを含むファイル６５４を検索する。その後又は代わりにアリスが初めて曲を再生した時に、プレーヤの画面上にアリスがトークンを得る資格を与えられたことを示すボタン３７６が表示される。
【０１３３】
アリスは、好ましくは、アリスの準拠プレーヤを通じて、トークン引き換えサービス７１８にアクセスするためのボタン３７６を起動することができる。アリスが段階６０８でボタン３７６を起動すると、トークン引き換えリンク６５４Ｄによって識別されたＵＲＬアドレスを備えたウェブサイトとして作動することができるトークン引き換えサーバ７１８との間にコンタクトが確立される。段階６１０で、サーバは、コンテンツＩＤ、ユーザＩＤ、取引ＩＤなどのようなアリス及びアリスのＳＢ３ファイルを識別する様々な情報を要求する。準拠メディアプレーヤは、それぞれのフィールドをサーバ７１８にセキュアに送信する。サーバは、アリスが本物のユーザであることを集中化ユーザＩＤサーバ７１０によって検査する（段階６１２）。サーバは、アリス又はそれぞれのＳＢ３ファイルが、コンテンツＩＤ又は取引ＩＤ、又はある他の条件のいずれかに基づいていずれかのＶＡＣＳに対応するトークンに関連付けられるか、又はトークンを得る資格を与えられているか否かをメタデータサーバ７１２及び／又はその内部データベース６４０のような他のデータベースによって検査する。例えば、所定のビヨンセの曲のこの特定のコピーは、同じ曲又は異なる曲のストリーミングビデオを得る資格をアリスに与えるトークンと共に発行される。
【０１３４】
次に、アリスにトークンを得る資格が与えられている場合、サーバは、アリスが実際に以前トークンを引き換えているか否かを検査する（段階６１４）。引き換えていない場合、トークン引き換えサーバは、適切なＶＡＣＳを検索し、これをアリスのプレーヤに配信する（段階６２０）。アリスは、次に、ＶＡＣＣＳを利用することができる（段階６２２）。更に、ウェブサイトは、アリスが購入したこの特定のＳＢ３の曲がトークンを商品と引き換えるために再度使用できないように、そのデータベースを更新する（段階６１８）。段階６１４で、アリスがトークンを使用したと判断された場合、アリスは、アリスがもはやトークンを得る資格がないことを示すメッセージを受け取る（段階６１６）。次に、アリスが、アリスの購入した（及び以前に引き換えたことのある）ビヨンセのＳＢ３ファイルのコピーをボブに電子メールした場合、ボブは、曲内のトークンを商品と引き換えることはできない。ボブがこれをしようとする場合、トークン引き換えウェブサイトが、そのコンテンツＩＤ及び取引ＩＤによって識別されたＳＢ３ファイルを認識し、アリスが既にトークンを引き換えたことを認識することになる。例えば、以下のようにトークンに対する多くの潜在的な用途が存在する。
【０１３５】
１．アリスが購入した各ＳＢ３ファイルに対して、アリスは、トークンを受け取り、アリスが９つのＳＢ３ファイルを購入し、９つのトークンを積み上げた後に、アリスは、無料のＳＢ３曲をダウンロードするためにトークンを交換することができる。
【０１３６】
２．アリスが所定の月に１０個のＳＢ３ファイルを買った場合、アリスは、プレミアム音楽加入サービスの３０日間の無料使用を獲得する。
【０１３７】
３．アリスが１カ月に少なくとも３つのＳＢ３ファイルを買った場合、アリスは、３０日間無料で対話式ラジオサービスを使用することができる。
【０１３８】
４．アリスが少なくとも５つのビヨンセのファイルを買った場合、アリスは、準拠ユーザにのみ利用可能なある一定のコンテンツを備えたビヨンセのウェブサイトのＶＩＰ部分へのアクセスを獲得する。
【０１３９】
５．各トークンは、アリスに１つよりも多い製品又はサービスを得る資格を与えることができる。例えば、トークンは、アリスが５つの新しい曲、Ｔシャツ、ポスター、マグ、及び１カ月間のファンクラブへの無料会員権を得る資格が与えられていることを指示することができる。アリスがトークンと共にファイルを受け取った場合、アリスは、これらの商品及びサービスのリストを示される。アリスは、次に、一度に商品及びサービスの全てを商品と引き換える機会を与えられるか、又はアリスは、これらの一部だけを商品と引き換えることを選択することができる。アリスがそれぞれのＳＢ３ファイルを他者と共有する場合、トークンは、アリスがトークンを保持して他者と共有できないように設定することができる。代替的に、アリスは、トークンを他者と共有することができる。この後者の場合、引き換えサーバ７１８は、特定のトークンに対して既に引き換えられている商品又は製品を追跡する。各次のユーザは、次に、前のユーザによって引き換えられていない商品又は製品だけを商品と引き換えることができる。
【０１４０】
６．トークンに関連付けられた実際の商品及びサービスは、トークンがアリスに送られた後でも変更することができる。例えば、段階６１２で、商品及び／又はサービスが変更されているか否かの追加の検査を実行することができ、新しい商品及びサービスをアリスに呈示することができる。従って、アリスは、２月にビヨンセによる曲を買うことができ、アリスが５月にアリスのトークンを商品と引き換えるまで待っている場合、アリスは、４月に公開されたビヨンセのショーのポスターを得る資格が与えられているという通知を取得することができる。
【０１４１】
付加価値コンテンツ
上述のように、付加価値コンテンツ及びサービスは、ヘッダに埋め込まれたリンクを通じてユーザに利用可能にされる。本発明の別の実施形態では、ＳＢ３ヘッダで参照されるサイトに連結することによって提供されるサービスに加えて、ＩＤ３ｖ２タグ付けシステムの要件に準拠する方式でＳＢ３ヘッダ自体に付加価値コンテンツを含むことができる。この付加価値コンテンツは、ＳＢ３ファイルのセキュアヘッダ部分内で暗号化されるのが好ましく、これは、適切なヘッダキー（図１Ｃに見られるような）によって準拠プレーヤによってのみ見ることができる。理論的には、ＭＰ３ＩＤ３ｖ２ヘッダは、２５６メガバイトまでの追加のコンテンツを含むことができる。しかし、上述のように、ＳＢ３ファイルは、現在使用中の全てのＭＰ３復号器と下位互換性がなくてはならず、更に、全ての現在のＭＰ３実施は、このような大きなヘッダをサポートできないので、ＳＢ３ヘッダのサイズに制限が存在することがある。
【０１４２】
ＳＢ３に直接記憶することができる他の付加価値コンテンツは、以下を含むことができる。
【０１４３】
１．購入された１２８ｋｂｐｓファイルのオーディオ品質を１９２ｋｂｐｓに上げる：増分６４ｋｂｐｓが、ヘッダにセキュアに記憶され、再生の時に準拠プレーヤによって１２８ｋｂｐｓファイルに組み合わされる。非準拠プレーヤは、より高いオーディオ品質バージョンへのアクセスを有することができない。
【０１４４】
２．標準的な２チャンネルオーディオファイルを５．１チャンネルバージョンに拡張する。追加の３．１チャンネルのためのデータは、ＳＢ３ヘッダにセキュアに記憶され、再生の時に準拠プレーヤによってのみ２チャンネルバージョンと結合することができる。非準拠プレーヤは、５．１チャンネルバージョンへのアクセスを持たず、２チャンネルバージョンを再生することができる。
【０１４５】
３．ＳＢ３ファイルは、ヘッダのセキュアにされた部分に購入された曲の歌詞、着信音、音楽ビデオ、及び／又はカバーアートを含むことができる。
【０１４６】
４．ＳＢ３ヘッダは、追加のオーディオファイルの追加のＤＲＭセキュアバージョンを含むことができる。これらのＤＲＭセキュアファイルは、ＳＢ３ペイロードにおける非暗号化ＭＰ３オーディオデータとは異なり、準拠プレーヤでしか再生できない。これらのＤＲＭファイルは、上述のように共有ストリームと類似の規則を有することができ、それによってこれらのＤＲＭファイルは、ある一定の回数又は制限された量の時間においてのみ再生することができる。
【０１４７】
コンテンツをヘッダにおいて既に利用可能にした利益は、ＳＢ３ファイルが購入された状態で付加価値コンテンツの全てがユーザに利用可能になるということである。ユーザは、トークンを商品と引き換えるためにオンラインである必要はない。更に、ＶＡＣＳは、このような引き換えサイトが作動的になる前にエンドユーザに呈示することができる。
【０１４８】
本発明の説明は、一般的に、デジタルオーディオファイル又はクリップであるとして各ＳＢ３ファイル内のコンテンツに言及するものである。勿論、ＳＢ３ファイルは、同じくビデオファイルも収容することができる。
【０１４９】
添付の特許請求の範囲に規定される本発明の範囲から逸脱することなく、本発明に対して多く修正を行うことができる。
【図１Ａ】
2011504617.tif 000003
【図１Ｂ】
2011504617.tif 000004
【図１Ｃ】
2011504617.tif 000005
【図２】
2011504617.tif 000006
【図３】
2011504617.tif 000007
【図４】
2011504617.tif 000008
【図５】
2011504617.tif 000009
【図６】
2011504617.tif 000010
【図７】
2011504617.tif 000011
【図７Ａ】
2011504617.tif 000012
【図８】
2011504617.tif 000013
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
分散ネットワークを使用してサーバからユーザにコンテンツを配信する方法であって、
デジタルコンテンツと、２つの部分、すなわち、クリアテキスト部分及び暗号化部分に区分され、かつデジタルファイルを一意的に識別する情報を含むヘッダとを含むデジタルファイルを準備する段階と、
前記デジタルファイルを分散ネットワーク上でユーザの１人に送信し、該ユーザの１人に該デジタルファイルを受信させて該デジタルコンテンツを該１人のユーザに呈示する段階と、
を含むことを特徴とする方法。
【請求項２】
前記デジタルファイルは、前記１人のユーザとの取引に応答して準備され、前記ヘッダは、該取引に関連する取引データを含むことを特徴とする請求項１に記載の方法。
【請求項３】
前記ヘッダは、ユーザＩＤ、ユーザ電子メールアドレス、及び取引データのうちの１つであるユーザ情報を含むことを特徴とする請求項２に記載の方法。
【請求項４】
共有制御パラメータに従って前記１人のユーザが前記デジタルコンテンツに関連するデータを他のユーザと共有できるように、前記ヘッダ内に組み込まれる共有制御パラメータを前記デジタルファイルに設ける段階を更に含むことを特徴とする請求項１に記載の方法。
【請求項５】
前記ユーザの１人に利用可能な追加コンテンツ及び追加サービスのうちの少なくとも一方を示すトークンを前記見出しに設ける段階を更に含むことを特徴とする請求項１に記載の方法。
【請求項６】
前記ヘッダを検出する段階と、
前記ヘッダの存在下で、追加のコンテンツ、製品、及びサービスの少うちのなくとも１つを含む追加のマテリアルを前記ユーザに提供する段階と、
を更に含むことを特徴とする請求項１に記載の方法。
【請求項７】
ウォーターマークが、前記デジタルファイルに設けられ、
前記ヘッダが検出されなかった場合に前記ウォーターマークを検査する段階と、
前記デジタルコンテンツの呈示を禁止する段階と、
を更に含むことを特徴とする請求項６に記載の方法。
【請求項８】
別のユーザから前記デジタルファイルを受信する段階を更に含み、
前記ユーザは、所定数の他のユーザだけからデジタルファイルを受信するように制限される、
ことを特徴とする請求項６に記載の方法。
【請求項９】
前記ユーザは、ユーザの前記所定数に到達した場合に異なるコンテンツを受信するように制限されることを特徴とする請求項８に記載の方法。
【請求項１０】
異なるコンテンツが、前記デジタルコンテンツの短縮された形式、商業広告を含む変更されたデジタルコンテンツ、及び該デジタルコンテンツのストリームバージョンのうちの１つを含むことを特徴とする請求項９に記載の方法。
【請求項１１】
前記ヘッダは、動的リンク及び静的リンクの一方であるリンクを含むことを特徴とする請求項６に記載の方法。
【請求項１２】
前記デジタルファイルは、要求に応答して準備され、該要求は、前記１人のユーザのＩＤを含むことを特徴とする請求項１に記載の方法。
【請求項１３】
前記要求は、前記１人のユーザの好みを示す情報を含むことを特徴とする請求項１２に記載の方法。
【請求項１４】
前記ヘッダは、前記デジタルコンテンツに関連付けられた追加のマテリアルに関連する情報を受信者に提供するトークンを含み、
前記デジタルファイルを前記分散ネットワーク上で前記ユーザの１人に送信して、該１人のユーザが前記デジタルコンテンツを再生し、かつ追加のマテリアルを得るために前記トークンを引き換えることができるようにする段階、
を含むことを特徴とする請求項１に記載の方法。
【請求項１５】
前記トークンは、追加のコンテンツ、いくつかの物品及びサービスに対応し、
各ユーザが前記トークンを通じて前記物品及びサービスのうちの少なくとも一方と引き換えることを許された幾人かのユーザ間で前記デジタルファイルを共有する段階、
を更に含むことを特徴とする請求項１４に記載の方法。
【国際調査報告】
2011504617.tif 000014
2011504617.tif 000015